(57)【要約】【課題】アース接続部に要するコストを低減できる太陽光発電装置を提供すること。【解決手段】太陽光パネル４と、屋根の傾斜方向に延びて屋根に固定される縦桟３１と、傾斜方向に直交する方向に延びて縦桟３１上に連結され、太陽光パネル４を固定支持する横桟３２と、横桟３２における軒側又は棟側のいずれか一方に配置され、横桟と太陽光パネル４とを電気的に導通させるアース接続部５と、横桟３２と縦桟３１とを電気的に導通させる導通金具３３と、を備える。【選択図】図４
2019027240.tif 000002
【特許請求の範囲】
【請求項１】
太陽光パネルと、
屋根の傾斜方向に延びて前記屋根に固定される縦桟と、
前記傾斜方向に直交する方向に延びて前記縦桟上に連結され、前記太陽光パネルを固定支持する横桟と、
前記横桟における軒側又は棟側のいずれか一方に配置され、前記横桟と前記太陽光パネルとを電気的に導通させるアース接続部と、
前記横桟と前記縦桟とを電気的に導通させる導通金具と、を備える太陽光発電装置。
【請求項２】
前記導通金具は、前記横桟の表面処理膜を破壊して前記横桟と電気的に接続される横桟側爪部と、前記縦桟の表面処理膜を破壊して前記縦桟と電気的に接続される縦桟側爪部と、を有する請求項１に記載の太陽光発電装置。
【請求項３】
前記横桟及び／又は前記縦桟は、複数の桟構成部材と、隣接する前記桟構成部材を連結する連結部材と、を有し、
前記連結部材及び前記桟構成部材は、それぞれ、ネジ孔を有し、前記ネジ孔においてネジ部材により連結され、
前記ネジ部材の径は、前記ネジ孔の径よりも大きい請求項１又は２に記載の太陽光発電装置。
【請求項４】
前記アース接続部は、前記横桟における軒側に配置される請求項１から３のいずれかに記載の太陽光発電装置。
【請求項５】
前記アース接続部は、前記横桟に形成されるＵ字状のＵ字状部と、前記太陽光パネルと前記Ｕ字状部とを接続するアース金具と、前記Ｕ字状部と前記アース金具とを電気的に導通させるネジ部材と、を有し、
前記ネジ部材は、前記アース金具を貫通した状態で前記Ｕ字状部の内部に導入され、前記ネジ部材の外周面が前記Ｕ字状部の内面にネジ込まれることで前記Ｕ字状部と前記アース金具とを電気的に接続する請求項１から４のいずれかに記載の太陽光発電装置。
【発明の詳細な説明】
【技術分野】
【０００１】
本発明は、太陽光発電装置に関する。詳しくは、太陽光発電パネルと縦桟と横桟とを備える太陽光発電装置に関する。
【背景技術】
【０００２】
従来、太陽光発電装置のアース構造において、屋根の傾斜方向において横桟を挟んで配置される太陽光発電パネル同士を導通させるために、横桟と軒側の太陽光発電パネルとを導通させるアース接続部と、横桟と棟側の太陽光発電パネルとを導通させるアース接続部と、の２つのアース接続部を備えるものがある（特許文献１参照）。特許文献１に記載の太陽光発電装置のアース構造においては、太陽光発電パネルが漏電した場合に、２つのアース接続部を用いて横桟を挟んで配置される太陽光発電パネル同士を導通させて、太陽光発電パネルに導通された横桟の端部から電気を大地に逃がすように構成されている。
【先行技術文献】
【特許文献】
【０００３】
【特許文献１】特開２０１２−１４９４０２号公報
【発明の概要】
【発明が解決しようとする課題】
【０００４】
ここで、特許文献１に記載の技術においては、２つのアース接続部を用いて横桟を挟んで配置される太陽光発電パネル同士を導通させて接地するため、アース接続部に要するコストが増大する可能性がある。
【０００５】
本発明は、アース接続部に要するコストを低減できる太陽光発電装置を提供することを目的とする。
【課題を解決するための手段】
【０００６】
本発明は、太陽光パネル（例えば、後述の太陽光発電パネル４）と、屋根の傾斜方向に延びて前記屋根に固定される縦桟（例えば、後述の縦桟３１）と、前記傾斜方向に直交する方向に延びて前記縦桟上に連結され、前記太陽光パネルを固定支持する横桟（例えば、後述の横桟３２）と、前記横桟における軒側又は棟側のいずれか一方に配置され、前記横桟と前記太陽光パネルとを電気的に導通させるアース接続部（例えば、後述のアース接続部５）と、前記横桟と前記縦桟とを電気的に導通させる導通金具（例えば、後述の縦横導通金具３３）と、を備える太陽光発電装置に関する。
【０００７】
また、前記導通金具は、前記横桟の表面処理膜を破壊して前記横桟と電気的に接続される横桟側爪部（例えば、後述の引っ掛け側突起３３５）と、前記縦桟の表面処理膜を破壊して前記縦桟と電気的に接続される縦桟側爪部（例えば、後述の下面突起３３２）と、を有することが好ましい。
【０００８】
また、前記横桟及び／又は前記縦桟は、複数の桟構成部材（例えば、後述の横桟構成部材３２１）と、隣接する前記桟構成部材を連結する連結部材（例えば、後述の連結部材３２９）と、を有し、前記連結部材及び前記桟構成部材は、それぞれ、ネジ孔（例えば、後述のネジ孔３２１ａ、３２９ａ）を有し、前記ネジ孔においてネジ部材（例えば、後述のネジ部材３２１ｂ）により連結され、前記ネジ部材の径は、前記ネジ孔の径よりも大きいことが好ましい。
【０００９】
また、前記アース接続部は、前記横桟における軒側に配置されることが好ましい。
【００１０】
また、前記アース接続部は、前記横桟に形成されるＵ字状のＵ字状部（例えば、後述のＵ字状部３２７）と、前記太陽光パネルと前記Ｕ字状部とを接続するアース金具（例えば、後述のアース金具５１）と、前記Ｕ字状部と前記アース金具とを電気的に導通させるネジ部材（例えば、後述の導通ネジ部材５５）と、を有し、前記ネジ部材は、前記アース金具を貫通した状態で前記Ｕ字状部の内部に導入され、前記ネジ部材の外周面が前記Ｕ字状部の内面にネジ込まれることで前記Ｕ字状部と前記アース金具とを電気的に接続することが好ましい。
【発明の効果】
【００１１】
本発明によれば、アース接続部に要するコストを低減できる太陽光発電装置を提供することができる。
【図面の簡単な説明】
【００１２】
【図１】本発明の一実施形態に係る太陽光発電装置が適用された太陽光発電屋根の平面図である。
【図２】本実施形態に係る太陽光パネル架台の平面図である。
【図３】図１のＡ−Ａ線断面図である。
【図４】図１のＢ−Ｂ線断面図である。
【図５】アース接続部の取り付け構造を示す斜視図である。
【図６】縦横導通金具の取り付け構造を示す斜視図である。
【図７】縦横導通金具に形成される横桟側爪部及び縦桟側爪部の構成を示す斜視図である。
【図８】複数の横桟構成部材が連結部材を介して連結される横桟の構成を示す斜視図である。
【図９】太陽光発電パネルが漏電した場合の電気の伝達を示す図である。
【発明を実施するための形態】
【００１３】
以下、本発明の一実施形態の太陽光発電装置としての太陽光発電屋根１の構成について、図面を参照しながら詳細に説明する。図１は、本発明の一実施形態に係る太陽光発電装置が適用された太陽光発電屋根１の平面図である。図２は、本実施形態に係る太陽光パネル架台３の平面図である。図３は、図１のＡ−Ａ線断面図である。図４は、図１のＢ−Ｂ線断面図である。図５は、アース接続部５の取り付け構造を示す斜視図である。図６は、縦横導通金具３３の取り付け構造を示す斜視図である。図７は、縦横導通金具３３に形成される横桟側爪部３３５及び縦桟側爪部３３２の構成を示す斜視図である。図８は、複数の横桟構成部材３２１が連結部材３２９を介して連結される横桟３２の構成を示す斜視図である。
【００１４】
太陽光発電屋根１は、図１〜４に示すように、下地材２（図３参照）と、太陽光パネル架台３と、太陽光発電パネル４（太陽光パネル）と、を備える。
【００１５】
下地材２は、図３に示すように、野地板２１と、防水シート２２と、鋼板２３と、を備える。下地材２は、太陽光発電屋根１の土台部分を構成し、後述する太陽光パネル架台３を固定支持する。
【００１６】
野地板２１は、建物（図示せず）の屋根の骨組みである垂木２０の上に張られて配置される。この野地板２１は、太陽光発電屋根１の全面に配置される。野地板２１としては、合板等の板材が用いられる。
【００１７】
防水シート２２は、上述の野地板２１上に配置される。この防水シート２２により、太陽光発電屋根１の防水性が高められる。防水シート２２としては、板紙にアスファルトを含浸させたアスファルトルーフィング等の防水材料が用いられる。
【００１８】
鋼板２３は、上述の防水シート２２上に配置される。この鋼板２３により、太陽光発電屋根１の防火性、防水性及び強度が高められる。鋼板２３としては、従来公知の防火鋼板等が用いられる。
【００１９】
太陽光パネル架台３は、太陽光発電パネル４を屋根に固定するために用いられる。太陽光パネル架台３は、図３に示すように、上述の下地材２上にビス止めされて固定される。また、太陽光パネル架台３は、上述の太陽光発電パネル４を固定支持する。
太陽光パネル架台３は、図２に示すように、格子状に枠組みされた複数の縦桟３１と、複数の横桟３２と、を備える。
【００２０】
縦桟３１は、屋根の傾斜方向に延びて形成され、屋根に固定される。縦桟３１は、棟から軒先に亘って通しで設けられる。縦桟３１は、傾斜方向に直交する方向に所定間隔で複数配置されて下地材２にビス止めされる。
【００２１】
横桟３２は、図２に示すように、屋根の傾斜方向に直交する方向に延びて形成され、図３に示すように、縦桟３１上に、縦横導通金具３３及び軒側固定金具３４を介して、ビス止めされる。横桟３２は、太陽光発電パネル４を下方から支持し、図３に示すように、後述の隣接する太陽光発電パネル４の横辺部の連結部である横連結部４１の直下に配置される。また、横桟３２は、図２に示すように、複数の横桟構成部材３２１が横方向に連結されて構成される。
【００２２】
太陽光発電パネル４は、図１及び図２に示すように、太陽光発電屋根１の屋根の傾斜方向に複数枚が併設されると共に、該傾斜方向と直交する方向に複数枚が並設され、上述の太陽光パネル架台３により固定支持される。
【００２３】
太陽光発電パネル４の周縁部のうち、屋根の傾斜方向に直交する方向に沿う横辺部は、上述の太陽光パネル架台３を構成する横桟３２を間に挟んで、隣接する太陽光発電パネル４の横辺部に連結されることで、横連結部４１を形成する（図３及び図４参照）。横桟３２の上部は、図４に示すように、屋根の傾斜方向に並んで隣接する太陽光発電パネル４のうち、棟側の太陽光発電パネル４の軒側の横辺部である軒側端部と、軒側の太陽光発電パネルの棟側の横辺部である棟側端部とに挟まれて配置される。
【００２４】
横連結部４１は、図４に示すように、太陽光パネル架台３を構成する横桟３２の直上に配置される。横連結部４１には、隣接する太陽光発電パネル４の横辺部により挟持される横桟３２の上部に、両横辺部に沿って延びる連結部パネル押え部材３５（パネル押え部材）が取り付けられる。
【００２５】
連結パネル押え部材３５は、図１に示すように、屋根の傾斜方向に直交する方向に延びる。連結パネル押え部材３５は、太陽光発電パネル４の上面側に配置され、横桟３２から離れる方向への太陽光発電パネル４の移動を押さえる。連結パネル押え部材３５は、隣接する太陽光発電パネル４の軒側端部及び棟側端部の上方側に配置される。
【００２６】
連結部パネル押え部材３５は、図４に示すように、棟側延出片３５２（押え片）と、軒側延出片３５３（押え片）と、２つの下部係合爪片３５４（係合爪部）と、を有する。棟側延出片３５２及び軒側延出片３５３は、ネジ部材３５０によりネジ止めされる部分から、屋根の傾斜方向の軒側及び棟側の両側に延出する。下部係合爪片３５４は、横桟３２の上部に係合する。
【００２７】
連結部パネル押え部材３５は、横桟３２の上部において、図１に示すように、横桟３２が延びる方向に沿って、横桟３２が延びる方向の所定位置において、複数のネジ部材３５０により横桟３２にネジ止めされて固定される。連結部パネル押え部材３５は、太陽光発電パネル４の端部が横桟３２から離れる方向への移動を押さえる。
【００２８】
屋根の傾斜方向の最も軒側に配置される太陽光発電パネル４の軒側端部には、図１及び図３に示すように、軒側カバー部材３６が取り付けられ、最も棟側に配置される太陽光発電パネル４の棟側端部には、棟側端部押え部材３７が取り付けられ、棟側端部押え部材３７の棟側には、棟側カバー部材３８が取り付けられる。
【００２９】
軒側カバー部材３６は、図３に示すように、太陽光発電屋根１の軒先に配置される。軒側カバー部材３６は、太陽光発電屋根１の屋根の傾斜方向に直交する方向に延びてその軒先を覆うことで、軒先を保護する。これにより、軒先の意匠性が高められている。軒側カバー部材３６は、断面視で、棟側において、前述の連結部パネル押え部材３５の棟側延出片３５２と同様の構成を有し、軒側において、屋根の傾斜方向に沿って延びた後、軒先に向かうに従って下方に傾斜して設けられる。軒側カバー部材３６は、横桟３２の上部において、軒先に沿って延設され、横桟３２が延びる方向に沿って、横桟３２が延びる方向の所定位置において、複数のネジ部材３６０により、横桟３２にネジ止めされて固定される。
【００３０】
棟側押え部材３７は、図３に示すように、太陽光発電屋根１の棟部において、最も太陽光発電パネル４の棟側の端部を押さえる。棟側押え部材３７は、前述の連結部パネル押え部材３５と同様の形状を有するが、屋根の傾斜方向の棟側に太陽光発電パネルが存在しないため、屋根の傾斜方向の軒側の片側のみで、最も棟側に配置される太陽光発電パネル４の棟側端部を押さえる。棟側押え部材３７の棟側には、棟側カバー部材３８が配置される。棟側押え部材３７は、横桟３２の上部において、横桟３２が延びる方向に沿って、横桟３２が延びる方向の所定位置において、複数のネジ部材３７０により、横桟３２にネジ止めされて固定される。
【００３１】
棟側カバー部材３８は、図３に示すように、太陽光発電屋根１の棟部に配置される。棟側カバー部材３８は、屋根の傾斜方向に延びた後、屋根の棟部に向かうに従って下方に傾斜し、その後、太陽光発電屋根１の傾斜方向に直交する方向に延びてその棟部を覆うことで、棟部を保護する。これにより、棟部の意匠性が高められている。棟側カバー部材３８は、棟側押え部材３７に係止された状態で、最も棟側の横桟３２にネジ止めされている。
【００３２】
また、横桟３２は、図４に示すように、複数のアース接続部５により、太陽光発電パネル４に電気的に導通するように接続されている。複数のアース接続部５は、横桟３２における屋根の傾斜方向の棟側及び軒側のうちの棟側にのみ配置される。複数のアース接続部５は、図２に示すように、横桟３２が延びる方向の所定位置に配置され、横桟３２と太陽光発電パネル４とを電気的に接続する。
【００３３】
次に、太陽光発電屋根１におけるアース構造について説明する。
太陽光発電屋根１のアース構造は、図１〜図４に示すように、縦桟３１と、横桟３２と、太陽光発電パネル４と、アース接続部５と、縦横導通金具３３（導通金具）と、を備える。アース構造に関連する各部材の電気的な接続構造について説明する。
【００３４】
縦桟３１及び横桟３２は、例えば、アルミ材料などの金属による押し出し成形により形成され、導電性を有する。また、太陽光発電パネル４の周囲を囲むフレーム４２（図４参照）は、金属材料で形成され、導電性を有する。縦桟３１、横桟３２及び太陽光発電パネル４は、その外表面に、腐食防止のためのアルマイト処理や塗装などの表面処理膜が施されている。縦桟３１、横桟３２及び太陽光発電パネル４の表面処理膜は、絶縁性を有する絶縁膜で形成される。
【００３５】
アース接続部５は、図２及び図３に示すように、横桟３２の棟側及び軒側のうち、棟側のみに配置される。アース接続部５は、導電性の材料により形成され、横桟３２と太陽光発電パネル４とを接続することで、横桟３２と太陽光発電パネル４とを電気的に導通させる。アース接続部５は、図４及び図５に示すように、横桟３２に形成されるＵ字状部３２７と、Ｕ字状部３２７と太陽光発電パネル４とを接続するアース金具５１と、Ｕ字状部３２７とアース金具５１とを電気的に導通させる導通ネジ部材５５（ネジ部材）と、を有する。
【００３６】
アース金具５１は、図４及び図５に示すように、導通ネジ部材５５により、横桟３２に形成されるＵ字状部３２７に取り付けられる。アース金具５１は、軒側の側方が開放するＵ字状に形成され、上面板５２、側面板５３及び下面板５４を有する。
【００３７】
上面板５２の上面には、円環部５２１を介して４つの突起爪５２２が形成される。４つの突起爪５２２は、上端が鋭利な爪形状に形成される。上面板５２の上面には、太陽光発電パネル４が載置される。これにより、４つの突起爪５２２は、太陽光発電パネル４のフレーム４２の端部側の下面に当接して、太陽光発電パネル４のフレーム４２の表面処理膜を破壊して、太陽光発電パネル４のフレーム４２に電気的に接続される。そして、アース金具５１は、太陽光発電パネル４に導通される。
【００３８】
側面板５３には、上面板５２の棟側の端部から下方に延びる。側面板５３には、導通ネジ部材５５が貫通して配置されるネジ貫通穴５３１が形成される。
下面板５４は、上面板５２と平行に形成され、側面板５３の下端部から軒側に延びる。
【００３９】
横桟３２のＵ字状部３２７には、アース金具５１が取り付けられる。横桟３２のＵ字状部３２７は、横桟３２の立ち上がり壁３２６の上部の棟側に形成される。横桟３２の立ち上がり壁３２６は、横桟３２のホロー部３２０の下端部から棟側に延びる横桟底面延出板３２５の途中に形成される、Ｕ字状部３２７は、棟側が開放するＵ字状に形成される。
【００４０】
Ｕ字状部３２７は、立ち上がり壁３２６の上部の一部分により構成される側面板３２６ａと、側面板３２６ａから棟側に突出し上下に離間して配置される２つの横板３２７ａ，３２７ｂと、により構成される。Ｕ字状部３２７にアース金具５１を取り付けた状態においては、アース金具５１のＵ字形状の開放部分とＵ字状部３２７のＵ字形状の開放部分とが対向した状態で、Ｕ字状部３２７のＵ字形状の開放部分は、アース金具５１のＵ字形状の開放部分の内部に収容されて配置される。アース金具５１の上面板５２及び下面板５４は、Ｕ字状部３２７を上下方向において挟む。
【００４１】
導通ネジ部材５５は、アース金具５１の内部に横桟側Ｕ字状部３２７が配置された状態で、アース金具５１のネジ貫通穴５３１を貫通して、横桟側Ｕ字状部３２７の２つの横板３２７ａ，３２７ｂの上下の対向面に当接した状態で挿入される。導通ネジ部材５５は、アース金具５１を貫通した状態でＵ字状部３２７の内部に導入され、導通ネジ部材５５の外周面がＵ字状部３２７の内面である２つの横板３２７ａ，３２７ｂの上下の対向面にネジ込まれる。これにより、導通ネジ部材５５は、Ｕ字状部３２７とアース金具５１とを電気的に接続する。このように、アース金具５１は、導通ネジ部材５５を介して、横桟３２のＵ字状部３２７に導通される。
【００４２】
以上のように構成されるアース接続部５においては、アース金具５１が横桟３２のＵ字状部３２７に配置された状態で導通ネジ部材５５がネジ込まれることで、アース金具５１と横桟３２とが導通される。アース金具５１に太陽光発電パネル４が載置されることで、４つの突起爪５２２が太陽光発電パネル４のフレーム４２の表面処理膜を破壊して、アース金具５１と太陽光発電パネル４とが導通される。これにより、アース接続部５を介して、横桟３２と太陽光発電パネル４とは導通される。
【００４３】
縦横導通金具３３は、図２及び図３に示すように、縦桟３１と横桟３２との交差部分において、横桟３２の棟側に配置される。縦横導通金具３３は、導電性の材料により形成され、縦桟３１と横桟３２とを電気的に導通させる。縦横導通金具３３は、図６及び図７に示すように、取付平面板３３１と、一対の下面突起３３２（縦桟側爪部）と、一対の位置規制部３３３と、引っ掛け部３３４と、３つの引っ掛け側突起３３５（横桟側爪部）と、を有する。
【００４４】
取付平面板３３１は、縦桟３１と横桟３２との交差部分における横桟３２の棟側において、縦桟３１の上面に配置され、ネジ止めにより固定される。
【００４５】
一対の下面突起３３２は、取付平面板３３１における縦桟３１の幅方向の両端部において、取付平面板３３１の下面から下方に突出して形成される。下面突起３３２は、下端が鋭利な爪形状に形成される。下面突起３３２は、取付平面板３３１が縦桟３１の表面に取り付けられた場合に、縦桟３１の表面に当接して、縦桟３１の表面処理膜を破壊して、縦桟３１と縦横導通金具３３とを導通させて、縦桟３１と電気的に接続させる。
【００４６】
一対の位置規制部３３３は、取付平面板３３１における縦桟３１の幅方向の両端部から、縦桟３１の側部の外側の部分に沿って突出すると共に、縦桟３１の長手方向に延びる。一対の位置規制部３３３は、縦桟３１の幅方向の端部の外側に配置され、縦横導通金具３３の縦桟３１の幅方向の位置を規制する。
【００４７】
引っ掛け部３３４は、取付平面板３３１における軒側に接続され、下方が開放するＵ字状に形成される。引っ掛け部３３４は、横桟３２のホロー部３２０の下端部から棟側に延びる横桟底面延出板３２５の棟側の先端部から上方に突出して形成される引っ掛け壁３２８に引っ掛けられる。
【００４８】
３つの引っ掛け側突起３３５は、引っ掛け部３３４の軒側の下端部から下方に突出して形成される。引っ掛け側突起３３５は、下端が鋭利な爪形状に形成される。引っ掛け側突起３３５は、引っ掛け部３３４が横桟３２の引っ掛け壁３２８に引っ掛けられた場合に、横桟底面延出板３２５の上面に当接して、横桟３２の表面処理膜を破壊して、横桟３２と縦横導通金具３３とを導通させて、横桟３２と電気的に接続させる。
【００４９】
以上のように構成される縦横導通金具３３は、一対の下面突起３３２により縦桟３１と縦横導通金具３３とを導通させると共に、引っ掛け側突起３３５により横桟３２と縦横導通金具３３とを導通させることで、縦桟３１と横桟３２とを導通させる。縦横導通金具３３において、一対の下面突起３３２及び引っ掛け側突起３３５は、下端が鋭利な爪形状に形成され、下方に突出するため、上方に突出するよりも、安全に構成される。
【００５０】
横桟３２は、図８に示すように、複数の横桟構成部材３２１と、隣接する横桟構成部材３２１を連結する連結部材３２９と、を有する。横桟３２は、隣接する横桟構成部材３２１が、連結部材３２９を介して連結されることで構成される。横桟構成部材３２１及び連結部材３２９には、横桟構成部材３２１及び連結部材３２９を接続するためのネジ部材３２１ｂがネジ込まれるネジ孔３２１ａ，３２９ａが形成される。連結部材３２９及び横桟構成部材３２１は、ネジ孔３２１ａ、３２９ａにおいてネジ部材３２１ｂにより連結される。
【００５１】
ネジ部材３２１ｂの径は、ネジ孔３２１ａ，３２９ａの径よりも大きく形成される。これにより、横桟構成部材３２１及び連結部材３２９をネジ部材３２１ｂで連結する際に、ネジ部材３２１ｂがネジ孔３２１ａ，３２９ａにネジ込まれて、ネジ部材３２１ｂがネジ孔３２１ａ，３２９ａに食い込んで電気的に接続される。そのため、隣接する横桟構成部材３２１が連結部材３２９を介して確実に電気的に接続されるため、隣接する横桟構成部材３２１が連結部材３２９を介して確実に電気的に接続されるため、横桟３２を導通する電気を、横桟３２が延びる方向に確実に導通させることができる。
【００５２】
ここで、太陽光発電パネル４が漏電した場合の電気の伝達について説明する。図９は、太陽光発電パネル４が漏電した場合の電気の伝達を示す図である。
本実施形態においては、図９に示すように、最も棟側の横桟３２の長手方向の一方側（図９における左側）において、横桟３２は接地されている。
【００５３】
図９に示すように、太陽光発電パネル４が漏電した場合、太陽光発電パネル４から漏れた電気は、アース接続部５を介して、横桟３２に導通される。横桟３２を導通された電気は、縦横導通金具３３を介して、縦桟３１に導通される。縦桟３１に伝達された電気は、接地されている最も棟側の横桟３２に向かって流れ、縦横導通金具３３を介して、最も棟側の横桟３２に導通される。最も棟側の横桟３２に導通された電気は、横桟３２における接地された長手方向の一方側（図９における左側）に向かって流れされ、接地された箇所において、大地に逃がされる。
【００５４】
以上説明した本実施形態の太陽光発電屋根１によれば、以下のような効果を奏する。
本実施形態の太陽光発電屋根１は、太陽光発電パネル４と、屋根の傾斜方向に延びて屋根に固定される縦桟３１と、傾斜方向に直交する方向に延びて縦桟３１上に連結され、太陽光発電パネル４を固定支持する横桟３２と、横桟３２における棟側の一方に配置され、横桟３２と太陽光発電パネルとを電気的に導通させるアース接続部５と、横桟３２と縦桟３１とを電気的に導通させる縦横導通金具３３と、を備える。アース接続部５を棟側の一方にのみ配置したため、アース接続部５に要するコストを低減できる。
【００５５】
また、本実施形態においては、縦横導通金具３３は、横桟３２の表面処理膜を破壊して横桟３２と電気的に接続される引っ掛け側突起３３５と、縦桟３１の表面処理膜を破壊して縦桟３１と電気的に接続される下面突起３３２と、を有する。そのため、縦横導通金具３３を簡易な構成にできるため、横桟３２と縦桟３１とを、簡易な構成で電気的に導通させることができる。
【００５６】
また、本実施形態においては、横桟３２は、複数の横桟構成部材３２１と、隣接する横桟構成部材３２１を連結する連結部材３２９と、を有し、連結部材３２９及び横桟構成部材３２１は、それぞれ、ネジ孔３２１ａ、３２９ａを有し、ネジ孔３２１ａ、３２９ａにおいてネジ部材３２１ｂにより連結され、ネジ部材３２１ｂの径は、ネジ孔３２１ａ、３２９ａの径よりも大きい。そのため、横桟構成部材３２１及び連結部材３２９をネジ部材３２１ｂで連結する際に、ネジ部材３２１ｂがネジ孔３２１ａ，３２９ａにネジ込まれて、ネジ部材３２１ｂがネジ孔３２１ａ，３２９ａに食い込んで電気的に接続される。これにより、隣接する横桟構成部材３２１が連結部材３２９を介して確実に電気的に接続されるため、横桟３２を導通する電気を、横桟３２が延びる方向に確実に導通させることができる。
【００５７】
また、本実施形態においては、アース接続部５は、横桟３２に形成されるＵ字状のＵ字状部３２７と、太陽光発電パネル４とＵ字状部３２７とを接続するアース金具５１と、Ｕ字状部３２７とアース金具５１とを電気的に導通させる導通ネジ部材５５と、を有し、導通ネジ部材５５は、アース金具５１を貫通した状態でＵ字状部３２７の内部に導入され、導通ネジ部材５５の外周面がＵ字状部３２７の内面にネジ込まれることでＵ字状部３２７とアース金具５１とを電気的に接続する。これにより、導通ネジ部材５５の外周面がＵ字状部３２７の内面にネジ込まれるため、横桟３２の切り粉が生じにくい。よって、横桟３２の切り粉が散乱することによる電気的なショートのリスクを低減できる。
【００５８】
以上、本発明の太陽光発電屋根１の好ましい一実施形態について説明したが、本発明は、上述した実施形態に制限されるものではなく、適宜変更が可能である。
例えば、前記実施形態においては、横桟３２を、隣接する横桟構成部材３２１が、連結部材３２９を介して連結されることで構成して、ネジ部材の径をネジ孔の径よりも大きく形成したが、これに限定されず、この構成を縦桟３１に適用してもよい。
【００５９】
また、前記実施形態では、アース接続部５を、横桟３２における棟側に配置したが、これに限定されず、横桟３２における軒側に配置してもよい。例えば、太陽光発電パネル４を隣接する横桟３２の間に取り付ける場合に、太陽光発電パネル４における屋根の傾斜方向の下方側の部分を横桟３２の棟側の部分に移動させて挿入し、その後、太陽光発電パネル４における屋根の傾斜方向の上方側の部分を横桟３２の軒側の部分に載置する。この場合、アース接続部５が横桟３２における棟側に配置された場合には、アース接続部５の４つの突起爪５２２の上を太陽光発電パネル４が移動して、太陽光発電パネル４に不要な傷を付ける可能性がある。一方、アース接続部５が横桟３２における軒側に配置された場合には、太陽光発電パネル４の上方側の部分を横桟３２の軒側の部分に載置するだけなので、太陽光発電パネル４における必要な箇所のみに傷を付けて導電させることができる。よって、アース接続部５を、横桟３２における軒側に配置することで、太陽光発電パネル４を容易に取り付けることができる。従って、太陽光発電パネル４を横桟３２に取り付ける施工性を向上できる。
【符号の説明】
【００６０】
１  太陽光発電屋根（太陽光発電装置）
４  太陽光発電パネル（太陽光パネル）
５  アース接続部
３１  縦桟
３２  横桟
３３  縦横導通金具（導通金具）
５１  アース金具
５５  導通ネジ部材（ネジ部材）
３２１  横桟構成部材（桟構成部材）
３２１ａ  ネジ孔
３２１ｂ  ネジ部材
３２７  Ｕ字状部
３２９  連結部材
３２９ａ  ネジ孔
３３２  下面突起（縦桟側爪部）
３３５  引っ掛け側突起（横桟側爪部）
【図１】
2019027240.tif 000003
【図２】
2019027240.tif 000004
【図３】
2019027240.tif 000005
【図４】
2019027240.tif 000006
【図５】
2019027240.tif 000007
【図６】
2019027240.tif 000008
【図７】
2019027240.tif 000009
【図８】
2019027240.tif 000010
【図９】
2019027240.tif 000011